(57)【要約】  照明システム（２）のためのコントローラ（７）は、少なくとも第１のユーザ及び第２のユーザによって制御可能である。コントローラ（７）は、第１のユーザによる照明システム（２）の設定の調整を検出する。コントローラ（７）は、第１のユーザによる照明システム（２）の設定の調整の関数として第２のユーザによる照明システム（２）の調整可能性を制御する。
2020513146.tif 000002
【特許請求の範囲】
【請求項１】
少なくとも第１のユーザ及び第２のユーザによって制御可能な照明システムためのコントローラであって、
第１のユーザによる照明システムの設定の調整を検出する、及び
前記第１のユーザによる前記照明システムの設定の前記調整の関数として第２のユーザによる前記照明システムの調整可能性を制御する
よう構成される、コントローラであり、
当該コントローラは、前記第２のユーザによる前記照明システムの調整可能性が、前記第１のユーザが前記照明システムの設定を調整した時間に依存するように、前記第２のユーザによる前記照明システムの調整可能性を制御するよう構成される、コントローラ。
【請求項２】
前記第１のユーザによる前記照明システムの設定は、第１のサイズのステップで調整可能であり、当該コントローラは、前記第２のユーザが、前記第１のサイズとは異なる第２のサイズのステップにより設定を調整できるように、前記第２のユーザによる前記照明システムの調整可能性を制御するよう構成される、請求項１に記載のコントローラ。
【請求項３】
前記第２のユーザによる前記照明システムの設定は、ステップ的に調整可能であり、当該コントローラは、前記第２のユーザが、前記照明システムの現在の設定が前記第１のユーザによって設定された前記照明システムの設定から遠ざかるにつれてサイズが減少するステップにより設定を調整できるように、前記第２のユーザによる前記照明システムの調整可能性を制御するよう構成される、請求項１又は２に記載のコントローラ。
【請求項４】
前記照明システムの設定は、ある値の範囲にわたって制御可能であり、前記第１のユーザによる設定の前記調整は、設定を前記値の範囲内の値にすることであり、当該コントローラは、前記第２のユーザが、前記第１のユーザによって設定される設定についての値に依存する量だけ設定を調整できるように、前記第２のユーザによる前記照明システムの調整可能性を制御するよう構成される、請求項１、２又は３に記載のコントローラ。
【請求項５】
当該コントローラは、前記第２のユーザによる前記照明システムの調整可能性が、前記第１のユーザが前記照明システムの設定を調整した時間から、経時的に増加するように、前記第２のユーザによる前記照明システムの調整可能性を制御するよう構成される、請求項１乃至４のいずれか一項に記載のコントローラ。
【請求項６】
当該コントローラは、前記第２のユーザによる前記照明システムの調整可能性が、前記第２のユーザにより前記照明システムの設定を調整するために使用される入力デバイスに依存するように、前記第２のユーザによる前記照明システムの調整可能性を制御するよう構成される、請求項１乃至５のいずれか一項に記載のコントローラ。
【請求項７】
当該コントローラは、前記第１のユーザに与えられる優先度に比べた前記第２のユーザに与えられる優先度に従って、前記第２のユーザによる前記照明システムの調整可能性を制御するよう構成される、請求項１乃至６のいずれか一項に記載のコントローラ。
【請求項８】
少なくとも第１のユーザ及び第２のユーザによって制御可能な照明システムを制御する方法であって、
前記照明システムのコントローラが、第１のユーザによる照明システムの設定の調整を検出するステップと、
前記コントローラが、前記第１のユーザによる前記照明システムの設定の前記調整の関数として第２のユーザによる前記照明システムの調整可能性を制御するステップと
を含み、
前記コントローラは、前記第２のユーザによる前記照明システムの調整可能性が、前記第１のユーザが前記照明システムの設定を調整した時間に依存するように、前記第２のユーザによる前記照明システムの調整可能性を制御する、方法。
【請求項９】
前記第１のユーザによる前記照明システムの設定は、第１のサイズのステップで調整可能であり、前記第２のユーザによる前記照明システムの調整可能性を制御することは、前記第２のユーザが、前記第１のサイズとは異なる第２のサイズのステップにより設定を調整することを可能にする、請求項８に記載の方法。
【請求項１０】
前記第２のユーザによる前記照明システムの設定は、ステップ的に調整可能であり、前記第２のユーザによる前記照明システムの調整可能性を制御することは、前記第２のユーザが、前記照明システムの現在の設定が前記第１のユーザによって設定された前記照明システムの設定から遠ざかるにつれてサイズが減少するステップにより設定を調整することを可能にする、請求項８又は９に記載の方法。
【請求項１１】
前記照明システムの設定は、ある値の範囲にわたって制御可能であり、前記第１のユーザによる設定の前記調整は、設定を前記値の範囲内の値にすることであり、前記第２のユーザによる前記照明システムの調整可能性を制御することは、前記第２のユーザが、前記第１のユーザによって設定される設定についての値に依存する量だけ設定を調整することを可能にする、請求項８、９又は１０に記載の方法。
【請求項１２】
前記第２のユーザによる前記照明システムの調整可能性を制御することは、前記第１のユーザが前記照明システムの設定を調整した時間から、経時的に増加する、請求項８乃至１１のいずれか一項に記載の方法。
【請求項１３】
前記第２のユーザによる前記照明システムの調整可能性を制御することは、前記第２のユーザにより前記照明システムの設定を調整するために使用される入力デバイスに依存する、請求項８乃至１２のいずれか一項に記載の方法。
【請求項１４】
前記第２のユーザによる前記照明システムの調整可能性を制御することは、前記第１のユーザに与えられる優先度に比べた前記第２のユーザに与えられる優先度に依存する、請求項８乃至１３のいずれか一項に記載の方法。
【発明の詳細な説明】
【技術分野】
【０００１】
本開示は、照明システムためのコントローラ及び照明システムを制御する方法に関する。
【背景技術】
【０００２】
米国特許出願公開第ＵＳ２０１６／０９１２１７Ａ１号は、各ユニットが調光ステップパラメータに関連付けられ、それによりユーザが増光又は減光することが可能な粒度を決定するような照明ユニットのコミッショニングを開示している。斯くして、照明ユニットは、ユーザが５％（の倍数）で増光又は減光することを可能にするように、５％単位で調光できるようにコミッショニングされてもよい。
【０００３】
国際特許出願公開第ＷＯ２００９／０８１３２９Ａ１号は、光源のグループを制御することであって、各光源が斯かるグループ内で互いに関連する個々の強度レベルを有すること、及び個々の強度レベル間の関係が変わらないように前記グループを制御することを開示している。
【０００４】
国際特許出願公開第ＷＯ２０１４／２０４２８６Ａ１号は、照明デバイスにロック機能を設定することであって、これにより、ロック機能が設定される前記照明デバイスは、前記照明デバイスがそのうちの１つである複数の照明デバイスの調整に応じて動作しないことを開示している。
【発明の概要】
【発明が解決しようとする課題】
【０００５】
環境を照明するための照明システムは、１つ以上の照明器具を備える場合がある。伝統的な照明システムは、典型的には、壁取付け電源スイッチ、ディマースイッチ、又は照明器具自体に設けられる電源スイッチ等、（複数の）照明器具のための単一の制御ポイントを有する。しかしながら、最近の照明システムは、（複数の）照明器具のための複数の制御ポイントを有することができる。さらに、照明システムを制御することを望む複数のユーザがいる場合がある。
【課題を解決するための手段】
【０００６】
本明細書で開示される第１の態様によれば、少なくとも第１のユーザ及び第２のユーザによって制御可能な照明システムためのコントローラであって、
第１のユーザによる照明システムの設定の調整を検出する、及び
第１のユーザによる照明システムの設定の調整の関数として第２のユーザによる照明システムの調整可能性(adjustability)を制御する
よう構成される、コントローラが提供される。
【０００７】
照明システムは、第１のユーザが予めコミッショニング及び／又はコンフィギュレーションされた照明システムの設定を調整するような、コミッショニング及び／又はコンフィギュレーションされた照明システムであってもよい。そのような調整は、照明システムのコミッショニング及び／又はコンフィギュレーションの一部として設定される境界内にあることになる。言い換えれば、第１のユーザ及び第２のユーザが両方とも、動作中の照明システムを調整している。照明システムのコミッショニング又はコンフィギュレーションの一部として、選択可能な調光範囲又は色若しくは設定の範囲等の特定の境界が設定されている場合、第１のユーザ及び第２のユーザは両方とも、そのような境界によって制限され、第２のユーザはさらに、第１のユーザによる照明システムの設定の調整の関数に基づいて照明システムの設定を調整することが制限される。
【０００８】
いくつかの例では、これは、複数のユーザが照明システムを制御しようとしている場合、とりわけ、複数のユーザが同時に又は互いに比較的近い時間にそうしようとしている場合に生じる可能性のある問題を回避するのに役立ち得る。第１のユーザによる照明システムの設定の調整の関数として、第２のユーザによる照明システムの調整可能性を制御することにより、これは、第１のユーザのいら立ち(annoyance)又はフラストレーションを防止することに役立つ。また、複数のユーザによる設定の安易な(rapid)又は頻繁な著しい調整を回避するのにも役立つ。例えば、第２のユーザは、第１のユーザが設定を調整したことを知らない場合があり得る。
【０００９】
さらに、これは、他のユーザに拡張されてもよい。例えば、第３のユーザに、第２のユーザに提供されるのと同じ調整可能性の範囲又は程度が提供されてもよく、又は例えば、第２のユーザに提供される範囲又は程度よりも小さい調整可能性の範囲又は程度が提供されてもよい。これは、さらに多くのユーザに拡張されてもよい。
【００１０】
設定の例には、照明システムの特定の照明器具、又は照明システムの複数の照明器具の明るさ及び色又は色温度が含まれる。
【００１１】
いくつかの例では、「第１のユーザ」は実際にはコントローラ自体であってもよく、第１のユーザ／コントローラによる照明システムの設定の調整は、コントローラ上で実行されるプログラムによって、例えば時刻、例えば環境光レベル、環境内の人の存在又は人数等を検出する１つ以上のセンサからの入力に従って決定されもよい。
【００１２】
一例では、第１のユーザによる照明システムの設定は、第１のサイズのステップで調整可能であり、コントローラは、第２のユーザが、第１のサイズとは異なる第２のサイズのステップにより設定を調整できるように、第２のユーザによる照明システムの調整可能性を制御するよう構成される。特定の例として、コントローラは、第１のユーザが明るさを（例えば、最大明るさの）１０％のステップにより増光又は減光するよう調整できるのに対し、第２のユーザは５％のステップにより明るさを増光又は減光するよう調整できるように構成されてもよい。
【００１３】
一例では、第２のユーザによる照明システムの設定は、ステップ的に(in steps)調整可能であり、コントローラは、照明システムの現在の設定が第１のユーザによって設定された照明システムの設定から遠ざかる(move further)につれてサイズが減少するステップにより設定を調整できるように、第２のユーザによる照明システムの調整可能性を制御するよう構成される。特定の例として、コントローラは、例えば、制御デバイスの最初の押下が例えば照明設定を１０％変更し、２回目の押下が照明設定を５％変更し、３回目の押下が３％変更する等々、のように構成されてもよい。
【００１４】
一例では、照明システムの設定は、ある値の範囲にわたって制御可能であり、第１のユーザによる設定の調整は、設定を前記値の範囲内の値にすることであり、コントローラは、第２のユーザが、第１のユーザによって設定される設定についての値に依存する量だけ設定を調整できるように、第２のユーザによる照明システムの調整可能性を制御するよう構成される。特定の例として、明るさレベルが設定されると仮定する。第１のユーザが、利用可能な最大設定の８０％に明るさレベルを設定するとする。その後、この例では、第２のユーザは、この８０％の値の±２５％だけ、すなわち、この例では６０％〜１００％の範囲内でのみ明るさを調整することができる。この別の例では、第２のユーザは、（可能な最大値と最小値の影響を受けつつ）例えば±２５％のパーセンテージポイント(percentage point)だけ、すなわち、この例では、５５％〜１００％の範囲内でのみ明るさを調整することができる。
【００１５】
一例では、コントローラは、第２のユーザによる照明システムの調整可能性が、第１のユーザが照明システムの設定を調整した時間に依存するように、第２のユーザによる照明システムの調整可能性を制御するよう構成される。この時間は、例えば、第１のユーザによる最初の設定又は第１のユーザによる最新の設定の所定の時間（期間)内であってもよい。特定の例として、コントローラは、第１のユーザが照明器具をオンにした直後の場合、第２のユーザが当該照明器具をオフにするのを防止してもよい。
【００１６】
一例では、コントローラは、第２のユーザによる照明システムの調整可能性が、第２のユーザにより照明システムの設定を調整するために使用される入力デバイスに依存するように、第２のユーザによる照明システムの調整可能性を制御するよう構成される。例えば、スマートフォンのアプリは、特定の照明器具を制御する壁スイッチ又はコントローラにより使用される自動化されたルール又はスクリプトをオーバーライドできなくてもよい。
【００１７】
一例では、コントローラは、第１のユーザに与えられる優先度に比べた第２のユーザに与えられる優先度に従って、第２のユーザによる照明システムの調整可能性を制御するよう構成される。例えば、異なる（人間の）ユーザに、システム内の異なる階層のロール(role)が割当てられてもよく、より高い階層を持つユーザが、照明システムを調整するためのより広範囲のオプションを有してもよい。
【００１８】
本明細書で開示される第２の態様によれば、少なくとも第１のユーザ及び第２のユーザによって制御可能な照明システムを制御する方法であって、
照明システムのコントローラが、第１のユーザによる照明システムの設定の調整を検出するステップと、
コントローラが、第１のユーザによる照明システムの設定の調整の関数として第２のユーザによる照明システムの調整可能性を制御するステップと
を含む、方法が提供される。
【図面の簡単な説明】
【００１９】
本開示の理解を助け、実施形態がどのように実施され得るかを示すために、例として添付の図面を参照する。
【図１】図１は、システム全体の一例を概略的に示す。
【図２】図２は、照明器具及び制御デバイスの一例を概略的に示す。
【図３】図３Ａ乃至３Ｃは、第１のユーザ及び第２のユーザの設定を変更するためのプロファイルの例を概略的に示す。
【発明を実施するための形態】
【００２０】
照明器具は、環境を照らすのに適した光を発するよう構成され、その目的に適したスケールでの照明を提供する又は実質的に貢献するデバイス又は構造体(structure)である。照明器具は、ＬＥＤベースのランプ、ガス放電ランプ又はフィラメント電球等の少なくとも１つの光源又はランプと、任意の関連する支持体、ケーシング又は他のそのようなハウジングとを備える。照明器具は、例えば天井又は壁取付け照明器具、自立型照明器具（例えば、テーブルランプ）、及び家具の表面又は家具に組み込まれた照明源を含む、多くの形態をとってもよい。ユーザは、特定の光源の明るさだけでなく、例えば光源の色及び／又は色温度等の他の設定も制御することができてもよい。
【００２１】
図１を参照すると、本明細書で述べられる態様によるシステム全体の一例が概略的に示されている。照明システム２が取り付けられている部屋１等の環境が示されている。照明システム２は、１つ以上の照明器具３を有する。図示の照明器具３の例は、テーブルランプ、及び多数の天井に取り付けられた照明器具である。例えば、壁に取り付けられた照明器具、及び例えば室内の家具又は他の機器の表面に組み込まれた照明器具を含む、他の照明器具が代わりに又は追加で設けられてもよい。
【００２２】
ユーザ４は、照明器具３の動作を制御することができる。ユーザ４は、１つ以上の壁に取り付けられた又は他の固定された制御デバイス５を使用して照明器具３を制御することができてもよい。代替的又は追加的に、ユーザ４は、別個の制御デバイス６を使用して照明器具３を制御することができてもよい。制御デバイス６は、例えば、携帯電話、スマートフォン、家庭用コンピュータ、ラップトップコンピュータ、タブレット、パーソナルデジタルアシスタント（ＰＤＡ）、コンピューティングデバイス、スマートウォッチ等のウェアラブルデバイス、等のスタンドアロンインターフェースを含んでもよく、又は斯かるスタンドアロンインターフェースであってもよい。代替的又は追加的に、制御デバイス６は、例えば、テレビ、冷蔵庫、セキュリティシステム、ゲームコンソール、ブラウザ、等の機器又は他のデバイスに組み込まれるインターフェースを含んでもよく、又は斯かるインターフェースであってもよい。さらなる代替例として、制御デバイス６は、音声又はジェスチャで作動されてもよい。便宜上、制御デバイス６は、例えば、Ｚｉｇｂｅｅ（登録商標）、Ｂｌｕｅｔｏｏｔｈ（登録商標）及び／若しくはＷｉＦｉ（登録商標）信号等の適切な無線プロトコルを使用して、又は例えば赤外線（ＩＲ）信号を使用して、無線接続を介して照明器具３と通信することができる。制御デバイス６は、照明器具３と直接通信してもよく、及び／又はブリッジ（図示せず）を介して照明器具３と通信してもよい。以下でさらに論じられるように、メインコントローラ７は、照明システム２の全体的な制御を提供する。メインコントローラ７は、照明システム２と同じエリア又は位置に配置されてもよく、他の場所に配置されてもよい。メインコントローラ７は、例えば、プロセッサ８、データストレージ９等を有するコンピューティングデバイスであってもよい。また、ユーザ４によって使用され得るエンターテイメントデバイス１０の例としてのパーソナルコンピュータ、ゲームコンソール又はテレビ等も示されている。
【００２３】
照明器具３及び制御デバイス６の一例の詳細が、図２に概略的に示されている。
【００２４】
照明器具３は、ランプ部３０及びコントローラ部３１を有する。照明器具３は、例えば、家庭、オフィス又は公共の建物等で使用するためのものであってもよい。ランプ部３０は、ＬＥＤベースのランプ、ガス放電ランプ又はフィラメント電球等の少なくとも１つの光源又はランプ３２を有する。コントローラ部３１は、照明器具３の全体的な動作を制御するためのコントローラ３３を有する。それ自体知られているように、コントローラ３３は、１つ以上のプロセッサを備えてもよい。コントローラ部３１は、照明器具３のコントローラ３３と通信する無線通信インターフェース３４を有する。さまざまなコンポーネントの物理的な位置は、図２において概略的にのみ示されていることに留意されたい。
【００２５】
無線通信インターフェース３４は、外部デバイス及び、任意選択的に、他の照明器具との無線通信を提供する。この例の無線通信インターフェース３４は、無線通信及びアンテナ（図示せず）を提供するために必要な回路を含む。とりわけ、無線通信インターフェース３４は、以下でさらに論じられる、制御デバイス６との無線通信を提供する。この例において、無線通信インターフェース３４はまた、メインコントローラ７との無線通信も提供する。照明器具３と制御デバイス６及びメインコントローラとの間の無線通信は、照明器具３への物理的な有線接続が不要であることを意味するため、ユーザ、インストーラ等にとって便利である。それにもかかわらず、代わりに又は加えて、有線接続が使用されてもよい。さらに、システムは、照明器具３のための制御デバイス６又は各制御デバイス６からのすべてのコマンド等がメインコントローラ７を介して関係する照明デバイス３に送られ、メインコントローラ７が全体制御を提供できるように設定されてもよい。
【００２６】
制御デバイス６は、照明器具３と通信するための（参照番号６１で概略的に示される）無線回路及びプロセッサを少なくとも有するポータブルデバイスであってもよい。制御デバイス６は、好ましくは、スクリーン６２を有する。上述の照明器具３及び／又はメインコントローラ７と通信するための無線回路に加えて、制御デバイス６は、制御デバイス６がセルラーネットワーク（例えば、ＧＳＭ(Group Special Mobile)又は２Ｇ(second generation)ネットワーク、３Ｇネットワーク、４Ｇ若しくはＬＴＥ(Long Term Evolution)ネットワーク等）を介して通信することを可能にするためのセルラー通信回路を有してもよい。代替的又は追加的に、制御デバイス６は、制御デバイス６が有線ネットワークと通信することを可能にするための有線通信回路を有してもよい。制御デバイス６は、例えば、スマートフォン、ラップトップコンピュータ、タブレットコンピュータ、パーソナルデジタルアシスタント（ＰＤＡ）又は他の何らかのモバイルコンピューティングデバイスであってもよい。
【００２７】
１つ以上の照明器具３があり、照明器具３は多くの異なるスイッチ及び制御デバイス６によって制御される可能性がある、このタイプの照明システム２では、複数のユーザが照明システム２を同時に制御しようとする場合に問題が生じ得る。例えば、ユーザは、照明設定が別のユーザによって設定されている、場合によってはごく最近に設定されていること、及びこれらの照明設定を妨害することに気付かない場合がある。これは、家庭環境でも、職場や公共の建物等でも発生する可能性がある。
【００２８】
したがって、本明細書で述べられるいくつかの態様では、メインコントローラ７は、第１のユーザ４による照明システム２の設定の調整を検出するよう動作する。メインコントローラ７は、第１のユーザ４による照明システム２の設定の調整の関数として、第２のユーザ４による照明システム２の調整可能性を制御する。一般に、いくつかの例では、第２のユーザ４は、設定が別の（第１の）ユーザ４によって設定されているもかかわらず、照明システム２の設定を依然として調整することができるが、メインコントローラ７は、第２のユーザによってなされ得る変更が、第１のユーザ４を混乱させる(disruptive)可能性が低くなるように動作する。実際には、いくつかの例では、第２のユーザ４によってなされ得る変更は、通常第２のユーザ４に利用可能な変更と比較して、ほどほどに(moderated)又は「抑制(throttled)」される。いくつかの例では、第２のユーザ４は、ある設定の範囲にわたって制御パラメーターを設定することができ、範囲は、第１のユーザによる照明システムの先の設定の関数として制限される。したがって、いくつかの例では、第１のユーザ４は、第１の広範な範囲にわたって設定を設定することができ、第２のユーザ４は、第２のより小さな範囲にわたって設定を設定することができる。さらに、これは、他のユーザに拡張されてもよい。例えば、第３のユーザに、第２のユーザに提供されるのと同じ調整可能性の範囲又は程度が提供されてもよく、又は例えば、第２のユーザに提供される範囲又は程度よりも小さい又はより制約が多い調整可能性の範囲又は程度が提供されてもよい。いくつかの例では、「第１のユーザ」は実際にはコントローラ７自体であってもよく、第１のユーザ／コントローラによる照明システムの設定の調整は、コントローラ７上で実行されるプログラムによって、例えば時刻、例えば環境光レベル、環境内の人の存在又は人数等を検出する１つ以上のセンサからの入力に従って決定されもよい。ユーザ４及び／又はコントローラ７によって設定され得る照明システム２の１つ以上の照明器具３の設定の例には、明るさ（輝度）及び色又は色温度が含まれる。
【００２９】
いくつかの例を示すために、図３を参照する。図３は、第１のユーザ４及び第２のユーザ４に許可される設定変更のプロファイルを概略的に示す。それぞれにおいて、第１のユーザ４に利用可能な設定は破線で示され、第２のユーザ４に利用可能な設定は点線で示されている。
【００３０】
図３Ａでは、第１のユーザ４が、照明システム２の設定を、例えばゼロから第１の最大値までの値の範囲にわたるように設定できることが示されている。第２のユーザ４は、照明システム２の設定を、例えばゼロから第１の最大値よりも小さい第２の最大値までの値の範囲にわたるように設定することができる。特定の例として、第１のユーザ４は、照明器具３の明るさを第１の最大値Ｉｍａｘ１に設定することができ、第２のユーザ４は、照明器具３の明るさを第１の最大値Ｉｍａｘ１よりも小さい第２の最大値Ｉｍａｘ２に設定することができてもよい。すなわち、第２のユーザ４は、明るさを調整することができるが、第１のユーザ４によって設定され得る、又は設定された明るさよりも低いレベルにのみ調整することができる。
【００３１】
図３Ｂでは、第１のユーザ４が、第１のサイズｄ１のステップで照明システム２の設定を設定でき、第２のユーザ４が、第１のサイズｄ１よりも小さい第２のサイズｄ２のステップで照明システム２の設定を設定できることが示されている。特定の例として、第１のユーザ４は、特定のサイズ、例えば、１００ルーメンのステップで照明器具３の明るさを増加（又は減少）することができる一方、第２のユーザ４は、より小さなサイズ、例えば、５０ルーメンのステップで照明器具３の明るさを増加（又は減少）することができてもよい。代替的又は追加的に、第１のユーザ４は、現在の設定のある割合、例えば、２０％の明るさの増加又は減少のステップで照明器具３の明るさを増加（又は減少）することができ、第２のユーザ４は、現在の設定のより小さな割合、例えば、１０％の明るさの増加又は減少のステップで照明器具３の明るさを増加（又は減少）することができてもよい。
【００３２】
図３Ｂに概略的に示される例では、第２のユーザ４は、設定（例えば、明るさ）を、第１のユーザ４によって設定された最大値よりも高い最大限度まで増加させることができることに留意されたい。他の例では、第２のユーザ４によって設定され得る最大値は、第１のユーザ４によって設定された最大値以下になるように制御されてもよい。同様の考えが、ユーザにより設定され得る設定の最小値に適用されてもよい。とりわけ、第２のユーザ４は、設定（例えば、明るさ）を、第１のユーザ４によって設定された最小値よりも低い最小限度まで減少させることができてもよい。又は、他の例では、第２のユーザ４によって設定され得る最小値は、第１のユーザ４によって設定された最小値以上になるように制御されてもよい。
【００３３】
図３を参照して大まかに述べられた上記の例では、照明器具３の明るさを調整する特定の例が示された。同様の考えは、照明器具３の色又は色温度の調整に適用されてもよい。同様に、スピード等、動的な態様を調整することができ、（例えば、色及び輝度を含む）ライト設定が経時的に変化するように設定されてもよく、第２のユーザに、第１のユーザよりも限定的な利用可能な設定の範囲が提供されてもよい。
【００３４】
図３Ｃでは、第１のユーザ４が、設定を第１の値Ｉに設定したことが示されている。第２のユーザ４によってなされ得る調整は、第２のユーザ４が第１のユーザ４によって設定された値Ｉからより離れるように設定を調整するにつれ、第２のユーザ４に利用可能な調整のステップサイズが減少する。すなわち、第２のユーザ４によって設定される設定の値が、第１のユーザ４によって以前に設定された値Ｉから遠ざかるにつれ、第２のユーザ４に利用可能な変更量(amount of change)は減少する。これにより、第２のユーザ４によってなされる変更が、第１のユーザ４を混乱させることが少なくなる。
【００３５】
別の例として、照明システム２の設定は、ある値の範囲にわたって制御可能であってもよい。例えば、照明器具３の明るさは、ある最小値からある最大値まで調整可能であってもよい。第１のユーザ４による設定の調整は、例えば、設定を前記値の範囲内の特定の値Ｘにすることであり得る。この例では、コントローラは、第２のユーザ４が、第１のユーザ４によって設定される設定についての値Ｘに依存する量だけ設定を調整できるように、第２のユーザ４による照明システム２の調整可能性を制御する。特定の例として、第２のユーザ４は、例えば、第１のユーザ４によって設定された値Ｘの所定の割合、又は当該設定についての最大値の所定の割合しか設定を調整できなくてもよい。
【００３６】
別の例として、第２のユーザ４に可能な照明システム２の調整可能性は、第１のユーザが照明システムの設定を調整した時間に依存してもよい。時間は、例えば、第１のユーザ４が関係する特定の設定を最初に設定した時間から、又は第１のユーザ４が関係する特定の設定を最も最近に設定した時間から計られてもよい。これの１つの特定の例として、コントローラ７は、第２のユーザ４が、第１のユーザ４によって設定になされた最新の調整からある（短い）期間内は設定変更できないように調整可能性を構成してもよい。さらに、コントローラ７は、これを経時的に調整してもよい。例えば、コントローラ７は、第２のユーザ４に、時間と共により多くの制御が提供される、例えば、時間と共に制御が増えていくように調整可能性を構成してもよい。別の例として、コントローラ７は、第２のユーザ４に、ある期間（例えば、３０分）後に完全な制御を提供されるように調整可能性を構成してもよい。
【００３７】
別の例では、第２のユーザ４による照明システム２の調整可能性は、第２のユーザ４による照明システム２の調整可能性が、第２のユーザ４により照明システム２の設定を調整するために使用される入力デバイスに依存するように、コントローラ７によって構成されてもよい。特定の例として、第２のユーザ４は、スマートフォン又は他のパーソナルデバイスを制御デバイス６として使用していてもよく、又は使用しようとしてもよい。コントローラ７は、例えば、スマートフォン又は他のパーソナルデバイスからのコマンドがコントローラ７で実行されている自動化されたルール又はスクリプトによって設定されている設定をオーバーライドしようとしている場合、該コマンドが無視されるように構成されてもよい。別の例として、例えば、スマートフォン又は他のパーソナルデバイスからのコマンドが壁スイッチ又は関連する照明器具上のスイッチによって設定されている設定をオーバーライドしようとしている場合、該コマンドが無視されてもよい。
【００３８】
別の例では、異なる（人間の）ユーザに、システム内の異なる階層のロールが割当てられる。設定を調整する第１のコマンドが階層の高いユーザによって実行され、設定を調整する第２のコマンドが階層の低いユーザによって実行される場合、第２のユーザに利用可能な設定は、より制限されてもよい。例えば、アドミニストレータ又はマネージャは、基本的な(baseline)ライト設定を設定し、一般ユーザは、その範囲の一部内で設定を制御することをローカルに許可されてもよい。同様に、家庭用照明システムでは、親に子供よりも階層的に高いロールが割り当てられてもよい。
【００３９】
別の例では、ユーザによって調整され得る設定は、時刻に応じて変わってもよい。例えば、（人間のユーザであってもよく、照明システムのメインコントローラであってもよい）第１のユーザは、１日の最初及び最後にすべてのライトをそれぞれオン及びオフにすることができるが、日中、ユーザは所定の範囲内でしかライト設定を変更できず、例えばライトを完全にオフにすることはできない。
【００４０】
ここで、本開示のいくつかの例がどのように動作するかについてのより良い理解を与えるために、いくつかの特定の動作の例を示す。
【００４１】
第１の特定の例では、ユーザＡは、共有のフレキシブルなオフィススペースに一人で座っている。ユーザＡは、文書を書かなければならないため、８０％の明るさを持つ活力を与える(energizing)照明シーンを設定する。ライトは、ユーザＡのワークスペースの周りに局在されている。その後、第２のユーザＢがオフィスに入り、ユーザＡのワークスペースの向かい側の机に座る。ユーザＢのデスクにローカルのライトは自動的にオンされ、ユーザＡにローカルであるライトのためにユーザＡによって使用されている設定をコピーする。ユーザＢは、いくつかの記事を読む必要があり、デスクトップコントローラを使用してライトを少し暖かくしたいと考えている。通常、制御デバイスの「クリック」又はその他の操作ごとに、色温度が１０％調整される。しかしながら、ユーザＡはすでにライト設定を設定しているため、このコマンドは、色温度を５％しか変えないように変更される。
【００４２】
これの変形例として、越えられない最大偏差が、照明システムコントローラ７によって考慮されてもよい。例えば、明るさが８０％に設定されている場合、第２のユーザは、（関連するライト設定についての全体的な最大値と最小値の影響を受けつつ）±２５％しか明るさを変えることができず、これは、この例では、第２のユーザに利用可能な範囲は５５％〜１００％となる。
【００４３】
これの別の変形例として、第２のユーザが、第１のユーザによって設定された元の値から遠ざかるにつれて、制御コマンドは減少されていく。例えば、制御デバイスの最初の「クリック」又はその他の操作はライト設定を１０％変更し、２回目の操作がライト設定を５％変更し、３回目の操作は３％変更する、等々である。
【００４４】
第２の特定の例では、建物が、いくつかの個別のエリアを有してもよい。例えば、一般人が照明を設定することができる異なるエリアを備えた図書館等の公共の建物があるかもしれない。しかしながら、一般人が個々のライトを設定する範囲は、中央コントローラによって提供される全体的な制御の影響を受ける。別の例として、建物は、異なるタイプの製品のための異なるエリアを有する店舗であってもよい。例えば、衣料品店は、異なる方法でテーマが設定される（例えば、男性、女性、子供向けの）個別のエリアを有するかもしれない。朝、店長は、店内のすべてのライトをオンにする。店長は、メインコントローラを使用して、各エリアのテーマを設定する。フロアマネージャーは、店舗での日々の活動を担う。日中、フロアマネージャーは、例えば自身が従事する顧客に応じて、個々のエリアのライト設定を調整する。フロアマネージャーは、明るさを変え、カラーパレットをわずかに変更することにより、衣服をより目立たせることができる。しかしながら、フロアマネージャーは、メインコントローラによって提供される全体的な制御の影響を受けるため、ライトをオフにしたり、空間のグローバルな雰囲気を変更したりすることはできない。
【００４５】
本明細書で言及されるプロセッサ又は処理システム又は回路は、実際には、オプションとしてチップセット、特定用途向け集積回路（ASIC）、フィールドプログラマブルゲートアレイ（FPGA）、デジタルシグナルプロセッサ（DSP）、グラフィックスプロセッシングユニット（GPU）等として提供される単一のチップ若しくは集積回路又は複数のチップ若しくは集積回路によって提供されてもよいことを理解されたい。単一又は複数のチップは、例示的な実施形態に従って動作するようにコンフィギュラブルである、１つ以上のデータプロセッサ、１つ以上のデジタルシグナルプロセッサ、ベースバンド回路及び無線周波数回路のうちの少なくとも１つ以上を具現化するための回路（及び可能であればファームウェア）を備えてもよい。これに関して、例示的な実施形態は、少なくとも部分的に、（非一時的）メモリに格納され、プロセッサ若しくはハードウェアによって実行可能なコンピュータソフトウェアによって、又は有形に格納されたソフトウェア及びハードウェア（及び有形に格納されたファームウェア）の組み合わせによって実装されてもよい。
【００４６】
本明細書では、データを格納するためのデータストレージを参照する。これは、単一のデバイス又は複数のデバイスによって提供されてもよい。適切なデバイスには、例えば、ハードディスク及び不揮発性半導体メモリが含まれる。
【００４７】
開示された実施形態に対する他の変更は、図面、開示、及び添付の特許請求の範囲の研究から、クレームされた発明を実施する際に当業者によって理解され、達成され得る。添付の特許請求の範囲において、用語「含む」は他の要素又はステップを除外せず、不定冠詞「a」又は「an」は複数を除外しない。単一のプロセッサ又は他のユニットが、請求項に列挙されたいくつかの項目の機能を果たすことができる。特定の手段が相互に異なる従属請求項に列挙されているという単なる事実は、これらの手段の組み合わせが有利に使用できないことを示すものではない。コンピュータプログラムは、他のハードウェアと一緒に又は他のハードウェアの一部として供給される光学記憶媒体又は固体媒体等の適切な媒体上に記憶／頒布されてもよいが、インターネット又は他の有線又は無線の電気通信システム等の他の形態で頒布されてもよい。請求項中の参照符号は、範囲を限定するものと解釈されるべきではない。
【図１】
2020513146.tif 000003
【図２】
2020513146.tif 000004
【図３Ａ】
2020513146.tif 000005
【図３Ｂ】
2020513146.tif 000006
【図３Ｃ】
2020513146.tif 000007
【国際調査報告】
2020513146.tif 000008
2020513146.tif 000009